(57)【要約】      （修正有）【課題】被取付パネルへの取付作業の効率を向上する灯具を提供する。【解決手段】ＬＥＤ灯具は、照明光を外部に向けて照射可能な円筒部２２の周壁に扇形状の複数の羽根部２３、２４を有するケース部２１と、プレート部１１および円筒部２２の周壁を被覆可能な複数の分割筒壁部１２，１３とを有するフレーム２を備える。円筒部２２を天井板１０１の一方側から貫通穴１０２に挿入し、分割筒壁部１２、１３を天井板１０１の他方側から円筒部２２を被覆するように挿入する。複数の羽根部２３、２４が天井板１０１の一方側に、プレート部１１が天井板１０１の他方側に位置するように配置し、フレーム２を回転させると、羽根部２３、２４が分割筒壁部１２、１３の切欠部に進入し、ケース部２１およびフレーム２が交差して係合する。これにより、羽根部２３、２４およびフレーム２で天井板１０１を挟み込んでＬＥＤ灯具が天井板１０１に取り付けられる。【選択図】図７
2017195044.tif 000002
【特許請求の範囲】
【請求項１】
被取付パネルに形成された貫通穴に取り付けられる灯具であって、
内部に光源を収容するとともに、この光源から出射される照明光を外部に向けて照射可能に外方向に突出する円筒部およびこの円筒部の周壁から径方向外側に周方向所定角度の範囲内で扇形状に延出する複数の羽根部を有する本体ケースと、
前記円筒部から前記照明光を照射可能な開口部を有する鍔形状のプレート部およびこのプレート部に立設されて前記被取付パネルの貫通穴を貫通し前記複数の羽根部が存在しない前記周方向所定角度の範囲外で前記円筒部の周壁の一部を被覆可能な複数の分割筒壁部を有する係合プレートと、を備え、
前記複数の羽根部が前記被取付パネルの一方側に位置するように前記本体ケースの前記円筒部を前記一方側から前記貫通穴に挿入し、前記プレート部が前記被取付パネルの他端側に位置しかつ前記他方側から前記複数の分割筒壁部が前記円筒部の周壁の一部を覆うように前記係合プレートを挿通した状態において、前記係合プレートおよび／または前記本体ケースの回転を許容することにより前記分割筒壁部と前記羽根部との交差による係合を可能にする切欠部が前記複数の分割筒壁に形成されていることを特徴とする灯具。
【請求項２】
前記羽根部には係止部が形成され、
前記切欠部には、前記分割筒壁部と前記羽根部とが交差によって係合する際に、前記係止部と係止する被係止部が形成されることを特徴とする請求項１に記載の灯具。
【請求項３】
前記係合プレートの前記プレート部は、当該灯具を前記被取付パネルに取り付けた状態において前記被取付パネルに接する面に突起部が設けられていることを特徴とする請求項１または２に記載の灯具。
【請求項４】
外部から前記光源に駆動電力を供給する電気配線は、前記光源を収容する収容空間において屈曲して掛止されて外部に接続されることを特徴とする請求項１〜３のいずれか一項に記載の灯具。
【請求項５】
前記本体ケースには、前記光源を収容する収容空間に開口する開口部を閉塞する布シートが取り付けられているとともに、この布シートは、外部から前記光源に駆動電力を供給する電気配線に接触または近接することを特徴とする請求項１〜４のいずれか一項に記載の灯具。
【請求項６】
前記本体ケースには、前記光源を収容する収容空間に開口する開口部を閉塞する蓋部が取り付けられているとともに、この蓋部は、外部から前記光源に駆動電力を供給する電気配線を前記被取付パネルの方向に向ける押え部を有することを特徴とする請求項１〜４のいずれか一項に記載の灯具。
【発明の詳細な説明】
【技術分野】
【０００１】
本発明は、被取付パネルに形成された貫通穴に取り付けられる灯具に関するものである。
【背景技術】
【０００２】
従来から、被取付パネルに対して取り付けられる灯具の取付構造として、様々なものが開示されている。例えば、特許文献１には、車両内に設置される室内照明灯の取付構造が開示されている。この室内照明灯は、意匠部を有するベゼルと、光源を有する機能部と、を備えている。これらは、まず車両室内側から意匠部を有するベゼルのクリップを天井トリムに設けられた取付孔に挿入し、ベゼルを天井トリムに対して係止する。次に、天井トリムの裏面側から、ベゼルの意匠部に機能部を取り付ける。これによって、機能部とベゼルの意匠部とで、天井トリムを挟み込む構造とされている（特許文献１の第２実施形態を参照）。
【０００３】
また、特許文献２には、天井材の埋込み孔に装着される埋込形照明器具の取付構造が開示されている。この埋込形照明器具は、主ソケットを有する器具本体と、主ソケットに着脱自在に装着される副ソケットと、器具本体の下部周縁を覆う飾り用の額縁と、副ソケットに着脱自在に装着される光源と、を備えている。これらは、まず天井材の埋込み孔に器具本体を装着し、次に、額縁の取付け孔に副ソケットのねじ込み部を挿入すると共に、この副ソケットのねじ込み部を器具本体の主ソケットにねじ込んで固定する。次に、光源である電球のねじ込み部（口金）を副ソケットにねじ込んで固定する構造とされている。
【先行技術文献】
【特許文献】
【０００４】
【特許文献１】特開２００５−７５２１９号公報
【特許文献２】特開平１１−２１３７４６号公報
【発明の概要】
【発明が解決しようとする課題】
【０００５】
特許文献１に開示される取付構造は、車両室内側から意匠部を有するベゼルのクリップを、天井トリムに対して押し込むことで、このベゼルを天井トリムに対して装着できるものとしている。しかしながら、この装着を解除する際には、天井トリムの裏側にアクセスし、４個全てのクリップの係合を解除することが必要となり、解除作業が煩雑である。また、取付作業においても、ベゼルを天井トリムに装着した後に、光源を有する機能部を意匠部に取り付ける必要がある。つまり、取付作業及び解除作業（着脱作業）が煩雑で作業効率が悪い。
【０００６】
また、特許文献２に開示される取付構造は、ねじ切りされた周知のソケットに対して、天井材の手前側からねじ込み部を何度も回転させて固定する構造により、天井材手前側からの着脱が可能とされている。しかしながら、取り付け時および取り外し時において、対象物を何度も回転させる必要があり、着脱作業が煩雑である。また、器具本体を取り付けたうえで、額縁および副ソケットを器具本体に再度取り付ける必要があり、この点でも取付作業が煩雑で作業効率が悪い。
【０００７】
本発明は、上述した課題を解決するためになされたものであり、被取付パネルへの取付作業の効率を向上し得る灯具を提供することを目的とする。
【課題を解決するための手段】
【０００８】
上記目的を達成するため、特許請求の範囲の請求項１に記載された本発明の灯具は、被取付パネルに形成された貫通穴に取り付けられる灯具であって、内部に光源を収容するとともに、この光源から出射される照明光を外部に向けて照射可能に外方向に突出する円筒部およびこの円筒部の周壁から径方向外側に周方向所定角度の範囲内で扇形状に延出する複数の羽根部を有する本体ケースと、前記円筒部から前記照明光を照射可能な開口部を有する鍔形状のプレート部およびこのプレート部に立設されて前記被取付パネルの貫通穴を貫通し前記複数の羽根部が存在しない前記周方向所定角度の範囲外で前記円筒部の周壁の一部を被覆可能な複数の分割筒壁部を有する係合プレートと、を備え、前記複数の羽根部が前記被取付パネルの一方側に位置するように前記本体ケースの前記円筒部を前記一方側から前記貫通穴に挿入し、前記プレート部が前記被取付パネルの他端側に位置しかつ前記他方側から前記複数の分割筒壁部が前記円筒部の周壁の一部を覆うように前記係合プレートを挿通した状態において、前記係合プレートおよび／または前記本体ケースの回転を許容することにより前記分割筒壁部と前記羽根部との交差による係合を可能にする切欠部が前記複数の分割筒壁に形成されていることを技術的特徴とする。
【０００９】
照明光を外部に向けて照射可能な円筒部の周壁に、周方向所定角度範囲内において扇形状に延出する複数の羽根部を有する本体ケースを備える。また、照明光を本体ケース外部に照射するための開口部を有する鍔形状のプレート部と、このプレート部に立設され円筒部の周壁の一部を被覆可能な複数の分割筒壁部と、を有する係合プレートを備える。そして、本体ケースの円筒部を、被取付パネルの貫通穴に対して挿入し、係合プレートの分割筒壁部を、円筒部に対して、円筒部の羽根部が設けられていない（所定角度範囲外の）部分を被覆するように挿入する。このとき、複数の羽根部は被取付パネルの一方側に、プレート部は被取付パネルの他方側に位置するように配置されている。そして、この挿入状態から、係合プレートおよび／または本体ケースを回転させることで、複数の羽根部が、複数の分割筒壁部に設けられた切欠部にそれぞれ進入することで、本体ケースと係合プレートとが交差して係合する。またこのとき、複数の羽根部とプレート部とで被取付パネルを挟んで保持することにより、灯具が被取付パネルに取り付けられる。
【００１０】
つまり、分割筒壁部に設けられた切欠部の幅（回転方向の幅）の範囲内で、係合プレートおよび／または本体ケースを回転操作することにより、本体ケースおよび係合プレートを係合させて、被取付パネルへ取り付けることが可能となる。これにより、本体ケースおよび係合プレートを係合させる際の回転操作量を少なくし、かつ、少ない回転操作量（簡単な作業）で被取付パネルへ取り付けることが可能となる。また、係合プレートおよび／または本体ケースを係合方向と逆方向（係合解除方向）に回転させるだけで、本体ケースおよび係合プレートの係合を解除し、被取付パネルから取り外すことも可能となる。これにより、灯具の被取付パネルに対する着脱作業の効率を向上させることが可能となる。なお、「係合プレートおよび／または本体ケースを回転操作する」とは、両部材を係合させる際に、係合プレートだけを本体ケースに対して回転操作してもよいし、本体ケースだけを係合プレートに対して回転操作してもよいし、本体ケースおよび係合プレートの両方を回転操作してもよいことを意味する。
【００１１】
また、特許請求の範囲の請求項２に記載された本発明の灯具は、請求項１に記載された灯具において、前記羽根部には係止部が形成され、前記切欠部には、前記分割筒壁部と前記羽根部とが交差によって係合する際に、前記係止部と係止する被係止部が形成されることを技術的特徴とする。
【００１２】
複数の羽根部のそれぞれには係止部が設けられ、複数の分割筒壁部の切欠部のそれぞれには被係止部が設けられる。そして、係合プレートおよび／または本体ケースを回転させて分割筒壁部と羽根部とが交差する際に、この係止部および被係止部が係わり合って止まることによって、本体ケースおよび係合プレートが係合するものとされる。これにより、少ない回転操作量であっても、本体ケースおよび係合プレートを係合させることが可能となる。なお、係止部および被係止部において、例えば、いずれにも突起部を設けてもよい。これにより、回転操作によって一方の突起部が対向する他方の突起部を乗り越えることで両者が係止する。また、一方を突起部とし他方を凹み部とし、回転操作によって突起部が対向する凹み部に嵌ることで係止するものを挙げることができる。もちろん他の構造としてもよい。
【００１３】
また、特許請求の範囲の請求項３に記載された本発明の灯具は、請求項１または２に記載された灯具において、前記係合プレートの前記プレート部は、当該灯具を前記被取付パネルに取り付けた状態において前記被取付パネルに接する面に突起部が設けられていることを技術的特徴とする。
【００１４】
係合プレートのプレート部の被取付パネルに接する面に、突起部を設けるものとする。これにより、被取付パネルの厚みが想定より小さ目であった場合でも、プレート部の突起部によってその厚みを補完して、灯具を被取付パネルに対して取り付けることが可能となる。また、プレート部の被取付パネルに接する面に設けられる突起部は１個でも複数個でもよいが、例えば、所定間隔で複数個配置するとより効果的である。
【００１５】
また、特許請求の範囲の請求項４に記載された本発明の灯具は、請求項１〜３のいずれか一項に記載された灯具において、外部から前記光源に駆動電力を供給する電気配線は、前記光源を収容する収容空間において屈曲して掛止されて外部に接続されることを技術的特徴とする。
【００１６】
光源と電気的に接続される電気配線は、光源を収容する本体ケースの収容空間内において屈曲し、所定の掛止部に掛止されて収容空間から外部に延びるものとされる。これにより、電気配線を引っ張る等した際に電気配線の接続部（例えば、半田付け部）等、強度の弱い部分にかかる負荷を、掛止部で分散して低減することが可能となる。またこれにより、電気配線を電力供給部に接続したり任意の位置に敷設したりする作業を行う際に、電気配線が断線することを極力防止することが可能となる。なお、電気配線が屈曲する屈曲部は１箇所でも複数個所でもよい。また例えば、電気配線を収容空間の外部に出すための配線穴を、基板等への接続位置から収容空間の外に延びる電気配線が一直線状にならないような位置に設けることによって、電気配線を屈曲させることも可能である。また例えば、この配線穴を掛止部とすることも可能である。
【００１７】
また、特許請求の範囲の請求項５に記載された本発明の灯具は、請求項１〜４のいずれか一項に記載された灯具において、前記本体ケースには、前記光源を収容する収容空間に開口する開口部を閉塞する布シートが取り付けられているとともに、この布シートは、外部から前記光源に駆動電力を供給する電気配線に接触または近接することを技術的特徴とする。
【００１８】
本体ケースの収容空間に開口する開口部を閉塞する部材を布シートで構成するとともに、この布シートを、収容空間から外部に延びる電気配線に接触または近接するように設けるものとする。これにより、灯具を軽量化および低コスト化することが可能となる。また、布シートを取り付ける際に、電気配線に接触または近接して取り付けたことで、電気配線が外部に出る箇所（例えば、配線穴）から水滴や塵等の異物が進入することを極力防止することが可能となる。ここで、布シートとして、例えば、織布製や不織布製のものを挙げることができる。
【００１９】
また、特許請求の範囲の請求項６に記載された本発明の灯具は、請求項１〜４のいずれか一項に記載された灯具において、前記本体ケースには、前記光源を収容する収容空間に開口する開口部を閉塞する蓋部が取り付けられているとともに、この蓋部は、外部から前記光源に駆動電力を供給する電気配線を前記被取付パネルの方向に向ける押え部を有することを技術的特徴とする。
【００２０】
本体ケースの収容空間に開口する開口部を閉塞する蓋部に、収容空間から外部に出る電気配線を被取付パネル方向に向ける押え部を設けるものとする。つまり、電気配線が収容空間から外部に出たところで、被取付パネル方向に押えてから所定の方向に延ばすものとする。これにより、電気配線を引っ張る等した際に、電気配線の接続部等（例えば、半田付け部）の強度の弱い部分にかかる負荷を低減することが可能となり、敷設作業等の際に電気配線が断線することを極力防止することが可能となる。また、電気配線を伝って収容空間内に水滴や塵等の異物が進入することを極力防止することが可能となる。また例えば、押え部によって電気配線を鉛直下方向に押え得るように灯具を取り付けた場合には、水滴が電気配線を伝って収容空間内に侵入することの防止効果を顕著に高めることが可能となる。
【発明の効果】
【００２１】
本発明の灯具は、少ない回転操作量による簡単な作業によって灯具の取り付けを可能とした。したがって、灯具の被取付パネルへの取付作業の効率を向上させることができる。
【図面の簡単な説明】
【００２２】
【図１】本発明の第１実施形態に係るＬＥＤ灯具の使用例を示す説明図で、図１(A)は天井の下方（表側）から見上げた様子を示すものであり、図１(B)は天井の上方（裏側）から見下ろした様子を示すものである。
【図２】図２(A)は第１実施形態のＬＥＤ灯具の背面図であり、図２(B)は同ＬＥＤ灯具の正面図である。
【図３】図３(A)は図２(B)に示す３Ａ方向矢視による平面図（または底面図）であり、図３(B)は図２(B)に示す３Ｂ方向矢視による側面図であり、図３(C)は図２(B)に示す３Ｃ方向矢視による側面図である。
【図４】図４(A)は図２(B)に示す４Ａ−４Ａ線断面図であり、図４(B)は図２(B)に示す４Ｂ−４Ｂ線断面図である。
【図５】第１実施形態のＬＥＤ灯具を構成するハウジングの構成例を示す斜視図であり、図５(A)は天井板への取付状態において斜め上方から見たもの、図５(B)は同状態において斜め下方から見たものである。
【図６】第１実施形態のＬＥＤ灯具を構成するフレームの構成例を示す斜視図であり、図６(A)は天井板への取付状態において斜め上方から見たもの、図６(B)は同状態において斜め下方から見たもの、図６(C)は同状態において上方（裏面）から見たものである。
【図７】第１実施形態のＬＥＤ灯具を天井に取り付ける手順例を示す説明図である。
【図８】天井板の貫通穴に対するＬＥＤ灯具の各部の位置関係を示す説明図であり、図８(A)は天井板の貫通穴とハウジングとの関係、図８(B)は天井板の貫通穴とフレームとの関係をそれぞれ示すものである。
【図９】本発明の第２実施形態に係るＬＥＤ灯具の使用例を示す説明図で、図９(A)は天井の下方（表側）から見上げた様子を示すものであり、図９(B)は天井の上方（裏側）から見たものである。
【図１０】図１０(A)は第２実施形態のＬＥＤ灯具の背面図であり、図１０(B)は同ＬＥＤ灯具の正面図である。
【図１１】図１１(A)は図１０(B)に示す１１Ａ方向矢視による平面図（または底面図）であり、図１１(B)は図１０(B)に示す１１Ｂ方向矢視による側面図であり、図１１(C)は図１０(B)に示す１１Ｃ方向矢視による側面図である。
【図１２】図１２(A)は図１０(B)に示す１２Ａ−１２Ａ線断面図であり、図１２(B)は図１０(B)に示す１２Ｂ−１２Ｂ線断面図である。
【図１３】第２実施形態のＬＥＤ灯具を構成するハウジングの構成例を示す斜視図であり、図１３(A)は天井板への取付状態において斜め上方から見たもの、図１３(B)は同状態において斜め下方から見たものである。
【図１４】第２実施形態のＬＥＤ灯具を構成する蓋部材の構成例を示す斜視図であり、図１４(A)は天井板への取付状態において斜め上方から見たもの、図１４(B)は同状態において斜め下方から見たものである。
【発明を実施するための形態】
【００２３】
以下、本発明の灯具の実施形態について図を参照して説明する。図１〜図８は本発明の灯具をＬＥＤ灯具に適用した第１実施形態を示す図である。また、図９〜図１４は本発明の灯具を、第１実施形態のＬＥＤ灯具とは一部構造が異なるＬＥＤ灯具に適用した第２実施形態を示す図である。
【００２４】
なお、第１実施形態および第２実施形態では、本発明の灯具の光源としてＬＥＤを採用し、乗り物の室内空間の天井板１０１や側壁に灯具を取り付けた例を用いて説明する。「乗り物」としては、人間が入室可能な室内空間を有する乗り物であって、例えば、自動車、鉄道車両、飛行機、船舶、工作機械または建設機械等の移動式または固定式の乗り物を挙げることができる。第１実施形態および第２実施形態では、本発明の灯具を乗り物用のＬＥＤ灯具に適用した例について説明する。
【００２５】
［第１実施形態］
まず、図１〜図８に基づいて第１実施形態のＬＥＤ灯具１について説明する。図１〜図４は、ＬＥＤ灯具１の構成例を示す図である。なお、図１(A)には、乗り物の室内空間から天井を見上げた様子を表した斜視図を示し、図１(B)には、天井の裏面側から見下ろした様子を表した斜視図を示す。図２(A)には、ＬＥＤ灯具１の背面図を示し、図２(B)にはＬＥＤ灯具１の正面図を示す。図３(A)には、図２(B)に表す３Ａ方向矢視による平面図を示し、図３(B)には、図２(B)に表す３Ｂ方向矢視による側面図を示し、図３(C)には、図２(B)に表す３Ｃ方向矢視による側面図を示す。図４(A)には、図２(B)に表す４Ａ−４Ａ線による断面図を示し、図４(B)には、図２(B)に表す４Ｂ−４Ｂ線による断面図を示す。
【００２６】
図１(A)および図１(B)に示すように、本第１実施形態のＬＥＤ灯具１は、乗り物の室内空間の天井板１０１に取り付けられて使用される室内空間用の照明装置である。ＬＥＤ灯具１の一部は天井板１０１の裏側に設けられており、室内空間側からは、ＬＥＤ灯具１の残部を除いて視認できないよう構成されている。すなわち、図１〜図７に示すように、ＬＥＤ灯具１は、主に、フレーム２、ハウジング３、ＬＥＤ基板４、電気配線５、コネクタ６、蓋部材２７等により構成されており、ハウジング３、ＬＥＤ基板４、電気配線５、コネクタ６、蓋部材２７等が天井板１０１の裏側に隠れ、残部であるフレーム２が天井板１０１の表側から見えるように天井板１０１の貫通穴１０２に取り付けられている。
【００２７】
ハウジング３は、蓋なしの矩形の箱形状に形成されるケース部２１と、このケース部２１内の収容空間３１に収容されるＬＥＤ基板４から出射される照明光を室内空間に向けて照明可能な方向に突出する円筒部２２と、を備えている。これらは、いずれも難燃性のポリプロピレン等からなる樹脂成部材である。収容空間３１に連通するケース部２１の開口部３６は、布製の蓋部材２７により塞がれている。ケース部２１の円筒部２２は、フレーム２が係合し得るように構成されている。フレーム２は、円形の鍔形状に形成されるプレート部１１と円筒を周方向所定角度範囲で縦割りにした第１分割筒壁部１２および第２分割筒壁部１３とを備えている。ハウジング３およびフレーム２の構成については、後で図５、図６等を参照して詳述する。
【００２８】
概ねこのように構成されるＬＥＤ灯具１は、図１(A)および図１(B)に示すように、乗り物の室内空間側にフレーム２の意匠面１１ｂが視認可能となるように設けられている。つまり、ＬＥＤ灯具１は、天井板１０１の裏面側に配されるハウジング３等（ハウジング側部材）と、室内空間側に配されるフレーム２とによって、天井板１０１に形成された貫通穴１０２を介して、天井板１０１を挟み込むようにして取り付けられるものとされる。また、コネクタ６は図示しない電力供給部に接続されており、この電力供給部から電力（駆動電力）が供給されることによりＬＥＤを発光させることが可能となる。
【００２９】
図２(A)や図４に示すように、ＬＥＤ基板４やＬＥＤ７等を収容するハウジング３の収容空間３１は、不織布製の蓋部材２７によって、その開口部３６が閉塞されている。また、図２(B)や図４に示すように、第１羽根部２３および第２羽根部２４（これらを総じて、単に「羽根部」ともいう）の外径は、例えば、プレート部１１の外径よりも大きく設定されている。羽根部２３，２４の外径は、天井板１０１の貫通穴１０２の内径よりも大きければよい。これにより、羽根部（第１羽根部２３および第２羽根部２４）の保持面２３ａと、これに対向するプレート部１１の保持面１１ａとで、天井板１０１を挟み込み、ＬＥＤ灯具１を天井板１０１に取り付けることが可能となる。
【００３０】
このような羽根部（第１羽根部２３および第２羽根部２４）は、円筒部２２の周壁２２ａ（外周壁）において、フレーム２の２個の分割筒壁部（第１分割筒壁部１２および第２分割筒壁部１３）を当該円筒部２２に挿入可能な範囲（領域）を残して、所定の形成角度（中心角）の範囲内で形成される。より具体的には、本第１実施形態の第１羽根部２３および第２羽根部２４は、形成角度を、中心角がそれぞれ約８０度となるように扇形状に形成される。また、第１羽根部２３の両側に中心角で約１００度の間隔をあけて第２羽根部２４を形成する。
【００３１】
これに対して、第１分割筒壁部１２および第２分割筒壁部１３（これらを総じて単に「分割筒壁部」ともいう）は、羽根部２３，２４の形成角度の範囲外（前述の羽根部同士の間隔の１００度の範囲内）において形成される。具体的には、中心角がそれぞれ約９０度となるように形成される。つまり、これらの中心角は、羽根部（第１羽根部２３および第２羽根部２４）および分割筒壁部（第１分割筒壁部１２および第２分割筒壁部１３）の中心角を全て足したときに、３６０度未満となるように設定されている。
【００３２】
天井板１０１に取り付けられたＬＥＤ灯具１は、図３に示すように表される。なお、図３(A)〜図３(C)に示す二点鎖線は、天井板１０１を表す仮想ラインである。これらの図からわかるように、取付状態におけるＬＥＤ灯具１と天井板１０１との位置関係では、ＬＥＤ灯具１は、ハウジング３とフレーム２とを係合させた状態において、第１羽根部２３の保持面２３ａおよび第２羽根部２４の保持面２４ａと、プレート部１１の保持面１１ａと、で天井板１０１を挟み込んで、取り付けられている。
【００３３】
また、プレート部１１の保持面１１ａ上には、開口部の周囲に配置されるように所定間隔で複数（例えば、８個）の突起部１８が形成されている（図６を参照）。天井板１０１を挟み込む際に、これらの突起部１８が天井板１０１に圧接されることで、押圧力が点状に集中するとともに散点状に散らばる。これにより、天井板１０１に対するＬＥＤ灯具１の固定力を高め、また取付位置のずれを防止することも可能となる。
【００３４】
また、天井板１０１は様々な素材で形成されるところ、例えば不織布によって形成されるものがある。天井板１０１が不織布によって形成される場合には、ＬＥＤ灯具１を取り付けるための貫通穴１０２を任意の箇所に形成する等の貫通穴形成作業は比較的容易に行うことができる。一方で、不織布製の天井板１０１は、厚みを均一に形成しにくい。すなわち、天井板１０１の厚みにバラつきが生じ易い。このような場合でも、プレート部１１の保持面１１ａに複数の突起部１８を形成したことで、天井板１０１の厚みが想定より薄い場合であっても、突起部１８と羽根部の保持面２３ａ，２４ａによって、ＬＥＤ灯具１を天井板１０１に固定して取り付けることが可能となる。
【００３５】
図４に示すように、ハウジング３の収容空間３１には、ＬＥＤ７（ＬＥＤ素子）が実装されるＬＥＤ基板４が収容されている。このＬＥＤ基板４は、ハウジング３の収容空間３１に対して、ケース部２１に開口する基板等設置用の開口部３６から挿入して設置（載置）される（図５(A)を参照）。ケース部２１の内側壁であって、配線穴２８が形成される側の内側壁３４と対向する側の内側壁３４の所定箇所には、収容空間３１内に向けて斜め下方（内底壁３２方向）に延びる板状の基板固定部３０が突出するように形成されている。また、ケース部２１の内側壁３４には、所定間隔をあけて、Ｌ字状の基板載置部２９が８箇所に設けられている（図５(A)を参照）。これにより、ＬＥＤ基板４を収容空間３１内に収容する際には、ＬＥＤ基板４の一端側を、基板固定部３０の下端部３０ａと内底壁３２との間に傾斜状態で差込み、その後、他端部を（すなわちＬＥＤ基板４全体を）収容空間３１内に収めて基板載置部２９上に載置する（図４(A)を参照）。なお、ここでの「傾斜状態」とは、ＬＥＤ基板４の一端部（基板固定部３０側）を内底壁３２方向に向け他端部を開口部３６方向に向ける状態である。
【００３６】
そして、ＬＥＤ基板４を基板載置部２９上に載置（設置）した状態において、基板固定部３０は、ＬＥＤ基板４の上面（開口部３６側）を押さえ、収容空間３１の内底壁３２に対して垂直方向の位置決め部材となる。また、収容空間３１の内底壁３２に対して水平方向の位置決めは、基盤載置部２９の内側壁３４に沿って形成される部分によってなされている。特に、乗り物にＬＥＤ灯具１を搭載する場合には、外部からＬＥＤ灯具１に振動が入力されることが多い。そのため、収容空間３１内でのＬＥＤ基板４のガタつきや位置ずれがこれら基板固定部３０等により極力防止される。
【００３７】
また、ＬＥＤ基板４の一端面（開口部３６側の面）には、外部から光源としてのＬＥＤ７に電力（駆動電力）を供給するための電気配線５が半田付けにより接続されている。なお、接続方法については、半田付けに限らずコネクタ接続であってもよいし、その他の接続方法であってもよい。配線穴２８は、開口部３６側上端から下方（内底壁３２方向）に切り欠いて形成されており、この切欠の下端（内底壁側下端）の位置は、ＬＥＤ基板４を基板載置部３０に載置した状態において、ＬＥＤ基板４と電気配線５との接続位置（接続部５ｂ）よりも、上方（開口部３６方向）の位置に設定されている。つまり、ハウジング３を、円筒部２２を鉛直方向下方に、開口部３６を鉛直方向上方にそれぞれ位置させた場合において、ＬＥＤ基板４および電気配線５の接続部５ｂと、配線穴２８の切欠下端位置と、が上下方向にずれた位置となるように形成されている。そして、電気配線５は、例えば、配線穴２８から外部に向けて、ほぼ水平方向（ケース部２１の外側壁に対して垂直方向）に延びるように引き出される。
【００３８】
すなわち、ＬＥＤ基板４等への接続部５ｂから収容空間３１の外に延びる電気配線５が、一直線状にならないような位置に、配線穴２８を設けるように構成する。これによって、電気配線５は、収容空間３１内において少なくとも１箇所の屈曲部５ａを有して、配線穴２８からケース部２１の外部に出るように構成されている。なお、第１実施形態では、図４(A)に示すように、電気配線５は、収容空間３１内でＬＥＤ基板４の所定位置に接続され、その接続部５ｂからＬＥＤ基板４とほぼ平行に配線穴２８方向に延びる。そして、電気配線５は、配線穴２８の下方で屈曲部５ａを形成して配線穴２８の方向に立ち上がり、配線穴２８の高さまで立ち上がったところで配線穴２８に向けて屈曲部５ａを形成して、配線穴２８を出るように構成されている。
【００３９】
これにより、収容空間３１から延びる電気配線５は、配線穴２８で一旦掛止されてから外部に延びる。したがって、この配線穴２８を、電気配線５を掛止する「掛止部」ということもできる。このような構成としたことにより、ＬＥＤ灯具１を敷設する際に、電気配線５が引っ張られる等したときに電気配線５の接続部５ｂにかかる負荷を低減することが可能となる。つまり、電気配線５の接続強度の弱い部分（例えば、半田付け部）にかかる負荷を、配線穴２８（掛止部）で分散して低減することが可能となる。またこれにより、電気配線を電力供給部に接続したり任意の位置に敷設したりする作業を行う際に、電気配線が接続部５ｂ等で断線することを極力防止することが可能となる。
【００４０】
また、ＬＥＤ基板４の他端面（円筒部２２が形成される内底壁３２側の面）には、外部に光を照射するためのＬＥＤ７（ＬＥＤ素子）が実装されている。このＬＥＤ７は、ＬＥＤ基板４の他端面側において、内底壁３２に形成される円筒部２２の中空部に位置するように設けられる。これにより、ＬＥＤ７から出射される照明光が、円筒部２２および開口部１９を通って外部（乗り物の室内空間）に照射される。なお、ＬＥＤ基板４には、ＬＥＤ７に供給する電流制御を行う図略の電子部品等が実装されている。
【００４１】
また、ハウジング３の収容空間３１の内底壁３２において、円筒部２２の一端側の開口である開口入口部３７ａの周縁部には、凹み部３３が形成されている。この凹み部３３は開口入口部３７ａの周縁部全体に亘って円環状に形成されている。凹み部３３には、ＬＥＤ７から出射される照明光を拡散して円筒部２２から照射するためのレンズ８（拡散レンズ）が設けられる。また、凹み部の凹み幅は、レンズ８を当該凹み部３３に取り付けた状態で、凹み部３３に嵌合するレンズ８の嵌合鍔部の上面と内底壁３２とが面一となるように形成されている。
【００４２】
レンズ８は、図４(A)に示すとおり、ＬＥＤ７から出射される照明光を効果的に拡散させるため、円筒部２２の出口方向に突出するドーム形状に形成されている。また、レンズ８は、レンズ取り付け用の凹み部３３に対して接着される。接着は、例えば、レーザー溶着、超音波溶着または接着剤もしくは両面テープ等によるもの等がある。
【００４３】
また、ケース部２１の内底壁３２のほぼ中央部に形成される円筒部２２は、外底壁４０から外部に向けて突出する円筒状に形成されている。この円筒部２２は内部が中空状に形成されている（以下、収容空間３１側の開口を「開口入口部３７ａ」といい、外側（室内空間側）の出口開口を「開口出口部３７ｂ」という）。ＬＥＤ７から出射された照射光は、開口入口部３７ａから円筒部２２を通って外方向（室内空間方向）に照射されるとともにレンズ８で照射光が拡散され、円筒部２２内側の照射光通路３８を通って開口出口部３７ｂから室内空間に向けて照射される。なお、円筒部２２の開口出口部３７ｂの下端周縁部は、フレーム２の開口部１９に挿入されて室内空間側に露出しており、室内空間側から視認可能に構成されている。
【００４４】
図５および図６は、上述したハウジング３およびフレーム２を示す斜視図である。なお、図５(A)は、ハウジング３を斜め上方から見た斜視図を示す。図５(B)は、ハウジング３を斜め下方から見た斜視図を示す。図６(A)は、フレーム２を斜め上方から見た斜視図を示す。図６(B)は、フレーム２を斜め下方から見た斜視図を示す。図６(C)は、フレームを上方からみた図を示す。
【００４５】
図５(A)に示すように、ハウジング３は、基板固定部３０が形成される側壁に対向する側の側壁３４，３９において、収容空間３１内でＬＥＤ基板４に接続される電気配線５が収容空間３１（ケース部）から外部に出る（延びる）ための配線穴２８が形成されている。この配線穴２８は、側壁３４，３９の上端面から二股状に切り欠いて形成されている。これにより、ＬＥＤ基板４から延びる２本の電気配線が、これら２個の配線穴２８のそれぞれを通って収容空間３１（ケース部）の外部に延びることを可能にする。また、基板固定部３０が形成される側の側壁３４，３９には、基板固定部３０を形成するために生じた側壁開口部３５が形成されている。また、配線穴２８が形成される側の側壁３４，３９の下方（内底壁３２方向）には、収容空間３１と外部空間とを連通する排出口４２が２箇所に形成されている。この排出口４２の下端面は、収容空間３１の内底壁３２と面一か、または内底壁３２よりも若干低くなるように形成されている。
【００４６】
図４に示すように、本第１実施形態では、ケース部２１に区画形成される収容空間３１の開口部３１を閉塞する（閉じる）ための蓋やカバーとして、不織布製の蓋部材２７が設けられている。そして、この不織布製の蓋部材２７は、開口部３１を閉塞するとともに、側壁開口部３５および配線穴２８の一部を閉塞する（被覆する）ように、ケース部２１に取り付ける（接着剤により接着する）ものとする。
【００４７】
より具体的には、図３(A)〜図３(C)に示すように、蓋部材２７は、ケース部２１の外底壁４０の端部に蓋部材２７の一端部を接着し、基板固定部３０側の側壁３４，３９に、そのほぼ全体を被覆するように接着するとともに、開口部３１全体を閉塞するように開口縁面４１に接着し、配線穴２８の電気配線５がない部分のほぼ全体を被覆するように配線穴２８側の側壁３４，３９に蓋部材２７の他端部を接着する。つまり、蓋部材２７は、ケース部２１を巻き込むように接着されている。なお、第１実施形態では、蓋部材２７の他端部が、配線穴２８側の側壁３４，３９において、電気配線５に接触するように接着されている。これにより、切欠状の配線穴２８を電気配線５と蓋部材２７とで閉塞し（図３(C)を参照）、配線穴２８から水滴や塵等の異物が進入することを極力防止可能にしている。
【００４８】
ここで、図３(A)や図３(C)等においては、蓋部材２７と電気配線５との間に隙間が生じている（接触していない）かのように表しているが、これは、各構成部品の図面表記上の便宜のためである。したがって、第１実施形態においては、蓋部材２７は電気配線５に接触するように設けられている（接着されている）。なお、他の態様として、蓋部材２７と電気配線５とを近接して設ける（極少量の隙間があいた態様で設ける）ものとしてもよい。これによっても、当該隙間よりも大きい粒径の水滴や異物等の侵入を阻止できるので、ほぼ同様の効果を発揮することが可能となる。また、天井板１０１の裏側環境や外部環境によっては天井板１０１の裏側領域において結露が発生する場合がある。結露によって水滴が電気配線５に垂れた場合には、水滴（水分）が電気配線５を伝ってケース部２１の収容空間３１内に侵入しようとする可能性がある。このような場合においても、配線穴２８は電気配線５および蓋部材２７によって閉塞またはほぼ閉塞されているため、水滴の浸入を防ぐことが可能となる。また、不織布製の蓋部材２７の特性によって、この水滴を吸収したり、撥水したりして、侵入を防止することが可能となる。
【００４９】
このような構成により、ケース部２１に区画形成される収容空間３１への異物の侵入を極力防止するものとしている。また、側壁３４，３９には、排出口４２を設けているので、収容空間３１内に水滴や異物等が侵入してもそれらを排出口４２から排出することが可能となる。なお、ケース部２１の内側壁３４には、前述したＬ字状の基板載置部２９が所定間隔をあけて８箇所に設けられている。ＬＥＤ基板４は、この基板載置部２９上に載置されて位置決め（固定）される。
【００５０】
また、図５(B)に示すように、円筒部２２の中ほどの周壁２２ａには、円筒部２２の径方向外側（半径方向外側）に向けて延出する第１羽根部２３および第２羽根部２４が設けられている。この第１羽根部２３および第２羽根部２４は、円筒部２２の径方向とほぼ平行に扇形状で、薄板状に形成されている。また第１羽根部２３および第２羽根部２４と、ケース部２１の外底壁４０と、は、ほぼ平行に形成されるとともに、これらの間には所定幅の間隔が設けられている。このケース部２１と羽根部２３，２４との離隔距離は、フレーム２とハウジング３とを回転して係合させる際に、分割筒壁部１２，１３の切欠部１４，１５より上側の部分（プレート部１１がない側）が挿入可能に設定される。これによって、円筒部２２の周壁２２ａであって、外底壁４０と羽根部２３，２４との間の領域の少なくとも一部分が、分割筒壁部１２，１３によって被覆されることとなる。
【００５１】
一方、円筒部２２の周壁２２ａであって、羽根部２３，２４の開口出口部３７ｂ側にも所定幅の周壁２２ａが設けられている。この部分には、フレーム２とハウジング３とを回転して係合させる際に、分割筒壁部１２，１３の切欠部１４，１５より下側の部分（プレート部１１側）が挿入可能に構成される。これによって、円筒部２２の周壁２２ａの羽根部２３，２４よりも開口出口部３７側の領域の少なくとも一部分が、分割筒壁部１２，１３によって被覆されることとなる。
【００５２】
また、第１羽根部２３の外底壁４０と対向する側の係止面２３ｂには、フレーム２の切欠部１４，１５に設けられた被係止部１６，１７と係止可能な係止部２５が設けられている。係止部２５は、係止面２３ｂの一端側において、ほぼ同じ高さで突出して（段状に）形成されている。同様に、第２羽根部２４の外底壁４０と対向する側の係止面２４ｂには、フレーム２の切欠部１４，１５に設けられた被係止部１６，１７と係止可能な係止部２６が設けられている。係止部２６は、係止面２４ｂの一端側において、ほぼ同じ高さで突出して（段状に）形成されている。また、係止部２５，２６は、図８(A)を参照して後述するように第１羽根部２３および第２羽根部２４の係止面２３ａ、２４ａ側であって、薄墨色（灰色）に着色した部分の範囲に設けられている（図８(A)を参照）。また、係止部２５，２６は、係止面２３ｂ上において中心角が約２０度の扇形状（板状）に形成されている。
【００５３】
また、係止部２５，２６は、羽根部２３，２４の端部であって、円筒部２２に分割筒壁部１２，１３を挿入した状態（係合前の状態）において、切欠部１４，１５の入口と対向する側の端部に設けられている。また、ケース部２１の外底壁４０であって、円筒部２２の周縁領域（周縁部）は、フレーム２（分割筒壁部１２，１３）を円筒部２２に挿入した際に、挿入量を規制して位置決めする規制部の機能も果たしている。すなわち、フレーム２の分割筒壁部１２，１３を、円筒部２２に対して、ケース部２１の外底壁４０に当接するまで（接触するまで）挿入すれば、その位置で、ちょうど羽根部２３，２４の挿入側端部と、分割筒壁部１２，１３の切欠部１４，１５の入口と、が対向状態となるように、円筒部２２の軸方向長さが設定されている。そして、この対向状態からフレーム２またはハウジング３の少なくとも一方を所定方向に回転（回転操作）させるだけで、それぞれの羽根部２３，２４をそれぞれの切欠部１４，１５に挿入し、両部材（フレーム２およびハウジング３）を係合させることが可能となる。
【００５４】
また、第１羽根部２３の天井板１０１側の面である保持面２３ａは、フレーム２とハウジング３とを係合させて天井板１０１に取り付けた際に、天井板１０１の裏面側で天井板１０１に接触しかつ天井板１０１を押圧し得るように構成される。また、同様に第２羽根部２４の天井板１０１側の面である保持面２４ａは、フレーム２とハウジング３とを係合させて天井板１０１に取り付けた際に、天井板１０１の裏面側で天井板１０１に接触しかつ天井板１０１を押圧し得るように構成される。すなわち、ＬＥＤ灯具１は、天井板１０１の裏面側には、第１羽根部２３の保持面２３ａおよび第２羽根部２４の保持面２４ａが位置し、天井板１０１の室内空間側には、プレート部１１の保持面１１ａが位置する。そして、これらの保持面２３ａ，２４ａとプレート部１１の保持面１１ａとで天井板１０１を挟み込むことで、天井板１０１を保持して取り付けられる。
【００５５】
図６(A)に示すように、フレーム２は、鍔形状のプレート部１１を有し、このプレート部１１の内側には円形状の開口部１９が形成されている。そして、プレート部１１の保持面１１ａの開口部１９の周縁部から、ほぼ垂直に立ち上がるように第１分割筒壁部１２および第２分割筒壁部１３が立設されている。ここで、第１分割筒壁部１２および第２分割筒壁部１３は、円筒を周方向所定角度範囲で縦割りにした（軸方向に沿って切断した）形状に形成されている。そのため、「分割筒壁部」という。第１実施形態のフレーム２には、分割筒壁部として、第１分割筒壁部１２および第２分割筒壁部１３が設けられている。
【００５６】
第１分割筒壁部１２および第２分割筒壁部１３の内径は、ハウジング３の円筒部２２の外径よりも若干大きくなるように形成され、第１分割筒壁部１２および第２分割筒壁部１３を、ハウジング３の円筒部２２に対して挿入可能（挿抜可能）とされている。また、第１分割筒壁部１２および第２分割筒壁部１３の内壁形状は、円筒部２２の外壁形状に沿うような形状（すなわち、円筒部２２の外径寸法よりも僅かに大径の内径寸法を有する円筒を周方向所定角度範囲で縦割りにした形状）とされ、第１分割筒壁部１２および第２分割筒壁部を円筒部２２に対して挿入し、回転可能とされている。また、前述したように、第１分割筒壁部１２および第２分割筒壁部１３はそれぞれ中心角が約９０度となるように形成されている。また、第１分割筒壁部１２と第２分割筒壁部１３との間は、中心角が約９０度の切り欠きとなっている。すなわち、中心角を９０度とし、分割筒壁部と、切り欠きと、を交互に設けている（図６(A)等を参照）。
【００５７】
第１分割筒壁部１２および第２分割筒壁部１３を、ハウジング３の円筒部２２の第１羽根部２３および第２羽根部２４の間の羽根部２３，２４が形成されていない範囲に挿入すると、第１分割筒壁部１２および第２分割筒壁部１３によって、円筒部２２の周壁１１ａの一部を被覆するように取り囲む状態とされる。また、第１分割筒壁部１２の中ほどには、プレート部１１の保持面１１ａとほぼ平行方向に所定幅切り欠いた第１切欠部１４を形成している。第１切欠部１４における、保持面１１ａとほぼ平行方向の切欠幅は、中心角が約４５度とする幅で形成される。また、同様に第２分割筒壁部１３の中ほどにも、プレート部１１の保持面１１ａとほぼ平行方向に所定幅切り欠いた第２切欠部１５を形成している。第２切欠部１５における、保持面１１ａとほぼ平行方向の切欠幅も、第１切欠部１４と同様に、中心角が約４５度とする幅で形成される。
【００５８】
つまり、約９０度の中心角で立設される筒壁部１２，１３の壁面は、約４５度分が保持面１１ａとほぼ平行方向に切り欠かれており、残り約４５度は切り欠きのない壁面とされている。なお、この切り欠の形成部分と非形成部分との境界部のことを「回転規制部」という。また「コ」字形状に形成された第１切欠部１４において、羽根部２３，２４の係止面２３ｂ，２４ｂと対向する側（切欠上部側）には、突状（段状）の被係止部１６が設けられている。この被係止部１６は、第１切欠部１４の切欠部入口側に設けられる。また、同様に「コ」字形状に形成された第２切欠部１５において、羽根部２３，２４の係止面２３ｂ，２４ｂと対向する側（切欠上部側）には、突状の被係止部１７が設けられている。この被係止部１７は、第２切欠部１５の切欠部入口側に設けられる。
【００５９】
これにより、第１分割筒壁部１２および第２分割筒壁部１３を、ハウジング３の円筒部２２の第１羽根部２３および第２羽根部２４の間の羽根部が形成されていない範囲に挿入し、この挿入状態からフレーム２またはハウジング３の少なくとも一方を所定方向に、切欠部１４，１５の被係止部１６，１７が羽根部２３，２４の係止部２５，２６を乗り越えるまで回転（回転操作）させる。被係止部１６，１７および／または係止部２５，２６の弾性変形により、被係止部１６，１７が係止部２５，２６を乗り越えることで、両部材が係合し、ひいてはフレーム２およびハウジング３が係合する。すなわち、被係止部１６，１７と係止部２５，２６とが、それぞれ係止することにより、フレーム２およびハウジング３が係合する。また、切欠部１４，１５は中心角が約４５度に形成されているため、フレーム２またはハウジング３の少なくとも一方を、所定方向に約４５度回転させるだけで、フレーム２およびハウジング３を係合させるとともに、ＬＥＤ灯具１を天井板１０１の貫通穴１０２に取り付けることが可能となる。
【００６０】
また、フレーム２のプレート部の羽根部２３，２４と対向する側の面である保持面１１ａは、フレーム２およびハウジング３が係合する際に天井板１０１を挟み込んで保持するための保持面１１ａになる。この保持面１１ａには、前述したように、８個の突起部１８が所定間隔で形成されている。挟み込む際に、これらの突起部１８が天井板１０１に圧接されることで、押圧力が点状に集中するとともに散点状に散らばる。これにより、天井板１０１に対するＬＥＤ灯具１の固定力を高め、また取付位置のずれを防止することも可能となる。そのため、これらの突起部１８によって天井板１０１に対するＬＥＤ灯具１の固定力を高め、また取付位置のずれを防止可能にしている。これにより、ＬＥＤ灯具１を天井板１０１に保持して取り付けることが可能となる。
【００６１】
また、プレート部１１の室内空間側の面は意匠面１１ｂになる。この意匠面１１ｂは、室内空間側に露出する面であるので、デザイン性をもって形成されている。また、この意匠面１１ａの外径は、ＬＥＤ灯具１を天井板１０１に取り付けるための貫通穴１０２の外径（外形）よりも大きく設定されている。これにより、意匠面１１ａで天井板１０１に設けられた貫通穴１０２（「取付穴」ともいう）を被覆することが可能となり、乗り物の室内空間側の意匠性を高めている。
【００６２】
図７および図８は、ＬＥＤ灯具１を天井板１０１の貫通穴１０２に対して取り付ける手順の例を示す図である。図７は、ＬＥＤ灯具１を天井板１０１の貫通穴１０２に対して取り付ける手順を、斜め下方より見た斜視図によって示す図である。図８(A)は、天井板１０１に形成された貫通穴１０２と、天井裏面側に配されるハウジング３等の部材と、の位置関係（配置関係）を示す図である。図８(B)は、天井板１０１に形成された貫通穴１０２と、フレーム２との位置関係（配置関係）を示す図である。
【００６３】
図７に示すように、ＬＥＤ灯具１を天井板１０１に取り付ける場合において、ＬＥＤ灯具１を、フレーム２と残りの部材（ハウジング３、ＬＥＤ基板４、電気配線５、コネクタ６等のことを以下「ハウジング側部材」という）とに分離して取り付け作業を行う。天井板１０１の所定箇所には、ＬＥＤ灯具１を取り付けるための小判形状の貫通穴１０２（図７の二点鎖線で示す穴）が予め形成されている。なお、図７から明らかなように、ハウジング３の長手方向および幅方向の各サイズは、天井板１０１の貫通穴１０２のサイズに比べて大きい。そのため、ハウジング３を天井板１０１の表面側から貫通穴１０２に挿通して天井裏面側に入れることはできない。
【００６４】
まず、天井板１０１の裏側方向（一方側）から貫通穴１０２にハウジング側部材の円筒部２２を挿入する。このとき、ハウジング側部材の第１羽根部２３の保持面２３ａおよび第２羽根部２４の保持面２３ａ，２４ａが、天井板１０１の裏面側面に接触するように挿入する。これにより、保持面２３ａ，２４ａと天井板１０１の裏面側面とが接触状態となり、円筒部２２の開口出口部３７の周縁部が貫通穴１０２を介して室内空間側に露出する状態となる。なお、円筒部２２を貫通穴１０２に挿入した状態においては、当該円筒部２２の開口出口部３７が、天井板１０１の貫通穴１０２を貫通し、若干量突出する。
【００６５】
そして、天井板１０１の室内空間側（他方側）から、フレーム２の第１分割筒壁部１２および第２分割筒壁部１３を、フレーム２のプレート部１１の意匠面１１ａが室内空間側を向くようにして、円筒部２２に挿入する（図７の下方向から上方向を指す矢印方向）。また、分割筒壁部１２，１３を円筒部２２に挿入する際には、円筒部２２の周壁２２ａにおいて第１羽根部２３と第２羽根部２４とが設けられていない領域に、第１分割筒壁部１２および第２分割筒壁部１３が位置するように挿入する。この挿入状態において、円筒部２２の周壁２２ａは、第１羽根部２３、第１分割筒壁部１２、第２羽根部２４、第２分割筒壁部１３の順に、これらが当該周壁２２ａを取り囲むように位置する。また、この挿入状態で、プレート部１１の意匠面１１ｂと円筒部２２の開口出口部３７ｂの周縁部（先端面）とがほぼ面一の状態になる（図４を参照）。
【００６６】
これにより、第１羽根部２３および第２羽根部２４の保持面２３ａ，２４ａと、プレート部１１の保持面１１ａとで、天井板１０１を挟む状態となる。なお、この状態（挿入状態）では、まだハウジング３とフレーム２とは係合していない。そして、この挿入状態から、室内空間側から見て時計回り（図７の回転を示す矢印の方向）に所定量（切欠幅の４５度程度）回転させる。本第１実施形態では、ハウジング側部材を所定位置に固定した状態で、フレーム２だけを所定量回転させて、ハウジング側部材とフレーム２とを係合させるものとしている。なお、このような態様に限らず、フレーム２側を固定し、ハウジング３側を回転させて係合してもよいし、フレーム２側およびハウジング３側の両方を回転させて係合してもよい。
【００６７】
また、この回転操作により、フレーム２の第１分割筒壁部１２の第１切欠部１４および第２分割筒壁部１３の第２切欠部１５の切欠内に、第１羽根部２３および第２羽根部２４をそれぞれ受け入れる（挿入する）ようにフレーム２が回転する。そして、第１切欠部１４の被係止部１６および第２切欠部１５の被係止部１７が、それぞれ第１羽根部２３の係止部２５および第２羽根部２４の係止部２６を乗り越えるまでフレーム２を回転させる。そして、乗り越えたところで、係止部２５，２６と被係止部１６，１７とが係止し、第１切欠部１４の回転規制部に係止部２５が当接し、また第２切欠部１５の回転規制部に係止部２６が当接する。これによって、フレーム２とハウジング３（ハウジング側部材）とが係合することとなる。また、このフレーム２とハウジング３（ハウジング側部材）とが係合することによって、ＬＥＤ灯具１を、貫通穴１０２を介して天井板１０１に固定し、取り付けることが可能となる。
【００６８】
なお、この係合状態（係止状態）において、所定量以上の力で、室内空間側からみて反時計回り（図７の回転を示す矢印の反対方向）にフレーム２を回転させると、第１切欠部１４の被係止部１６および第２切欠部１５の被係止部１７が、それぞれ第１羽根部２３の係止部２５および第２羽根部２４の係止部２６を乗り越えて、係止部２５，２６と被係止部１６，１７との係止が解除される。これにより、フレーム２とハウジング３（ハウジング側部材）との係合が解かれるため、ＬＥＤ灯具１を天井板１０１から取り外すことが可能となる。また、天井板１０１等の所定の被取付パネルに対してＬＥＤ灯具１を取り付ける取付作業においては、当該作業を室内空間において行う場合もあれば、室外で行う場合もあるため、被取付パネルの「室内空間側」を、被取付パネルの「室内空間側に設置される側」と読み替えることも可能である。
【００６９】
図８(A)および図８(B)に示すように、天井板１０１の貫通穴１０２は、対向する直線状部１０２ａと対向する円形部１０２ｂとからなる小判形状に形成されている。そして、この小判形状の貫通穴１０２に対して、ハウジング３の円筒部２２の第１羽根部２３および第２羽根部２４が、それぞれ貫通穴１０２の直線状部１０２ａに位置するように挿入する（配置する）。そして、ハウジング３の円筒部２２を貫通穴１０２に対して、前述の位置関係で挿入し、固定した状態において、フレーム２の第１筒壁部１２および第２筒壁部１３を、それぞれ貫通穴１０２の円形部１０２ｂに位置するように挿入する（配置する）。
【００７０】
図８(B)において、実線で表した第１分割筒壁部１２および第２分割筒壁部１３が、この係合前の挿入状態（挿入位置）を示している。そして、この挿入状態（挿入位置）から、フレーム２を同図に示す矢印の方向（時計回り）に回転させる（本第１実施形態では約４５度）ことで、係止部２５，２６と被係止部１６，１７とが係止し、フレーム２とハウジング３（ハウジング側部材）とが係合する。またこれにより、ＬＥＤ灯具１を天井板１０１に固定し、取り付けることが可能となる。なお、同図において、破線で表した第１分割筒壁部１２’および第２分割筒壁部１３’が、羽根部２３，２４が切欠部１４，１５に挿入して、フレーム２とハウジング３とが係合した状態（係合した位置）を示している。
【００７１】
また、羽根部２３，２４が切欠部１４，１５に挿入してフレーム２とハウジング３とが係合する態様のことを、分割筒壁部１２，１３と羽根部２３，２４とが「交差して係合する」や「交差係合する」等と表現することができる。また、単に「係合する」と表現することができる。また、フレーム２とハウジング３とが係合している状態を、「係合状態」と表現したり、「交差係合状態」と表現することができる。
【００７２】
ここで、貫通穴１０２の形状は、このような小判形状に限らない。例えば、貫通穴全体を円形状に形成してもよい（直線状部を設けない）。本第１実施形態では、貫通穴１０２に直線状部１０２ａを設け、この直線状部１０２ａに第１羽根部２３および第２羽根部２４を位置させている。これは、天井板１０１と羽根部２３，２４の保持面２３ａ，２４ａとの接触面積、天井板１０１とプレート部１１の保持面１１ａとの接触面積をできる限り増やし（図８(A)を参照）、ＬＥＤ灯具１を天井板１０１に固定するためである。これにより、乗り物に発生する振動等によってＬＥＤ灯具１の設置位置にずれが生じたり、外れてしまったりすることを極力防止することが可能となる。
【００７３】
また、この貫通穴１０２の直線状部１０２ａと直線状部１０２ａとの距離（間隔）は、第１分割筒壁部１２の外縁と第２分割筒壁部１３の外縁との距離よりも短く形成されている。つまり、第１筒壁部１２および第２筒壁部１３を、それぞれ貫通穴１０２の直線状部１０２ａに位置するように挿入することが困難な（できない）サイズに構成している。このようなサイズおよび形状は、フレーム２とハウジング３とを、少ない回転操作量（小さい回転角度）で係合可能とする構成としたことにより可能としている。具体的に、フレーム２とハウジング３とを係合させるための回転操作量（回転角度）は、切欠部１４，１５と羽根部２３，２４との係合開始位置（挿入開始位置）から切欠部１４，１５の回転方向の切欠幅の範囲（本第１実施形態では約４５度）に設定される。
【００７４】
以上説明したとおり、第１実施形態のＬＥＤ灯具１では、照明光を外部に向けて照射可能な円筒部２２の周壁に、周方向所定角度範囲内において扇形状に延出する第１羽根部２３および第２羽根部２４（複数の羽根部）を有するケース部２１を備える。また、照明光をケース部２１の外部に照射するための開口部１９を有する鍔形状のプレート部１１と、このプレート部１１に立設され円筒部２２の周壁の一部を被覆可能な第１分割筒壁部１２および第２分割筒壁部１３（複数の分割筒壁部）と、を有するプレート２を備える。そして、ケース部２１の円筒部２２を、天井板１０１の貫通穴１０２に対して挿入し、プレート２の第１分割筒壁部１２および第２分割筒壁部１３を、円筒部２２に対して、円筒部２２の第１羽根部２３および第２羽根部２４が設けられていない（所定角度範囲外の）部分を被覆するように挿入する。このとき、第１羽根部２３および第２羽根部２４は天井板１０１の一方側に、プレート２は天井板１０１の他方側に位置するように配置されている。そして、この挿入状態から、プレート２および／またはケース部２１を回転させることで、第１羽根部２３および第２羽根部２４が、第１分割筒壁部１２および第２分割筒壁部１３に設けられた第１切欠部１４や第１切欠部１５にそれぞれ進入することで、ケース部２１とプレート２とが交差して係合する。またこのとき、第１羽根部２３および第２羽根部２４とプレート２とで天井板１０１を挟んで保持することにより、ＬＥＤ灯具１が天井板１０１に取り付けられる。
【００７５】
これにより、ケース部２１およびプレート２を係合させる際の回転操作量を少なくし、かつ、少ない回転操作量（簡単な作業）で天井板１０１へ取り付けることが可能となる。また、プレート２および／またはケース部２１を係合方向と逆方向（係合解除方向）に回転させるだけで、ケース部２１およびプレート２の係合を解除し、天井板１０１から取り外すことも可能となる。これにより、ＬＥＤ灯具１の天井板１０１に対する着脱作業の効率を向上させることが可能となる。したがって、ＬＥＤ灯具１の天井板１０１への取付作業の効率を向上させることができる。
【００７６】
［第２実施形態］
前述した第１実施形態では、ＬＥＤ灯具１のハウジング３の収容空間３１の開口部３６を閉塞する（閉じる）部材として、不織布製の蓋部材２７を採用している。これにより、ＬＥＤ灯具１を軽量化し、低コスト化する等の効果を奏している。しかしながら、ＬＥＤ基板４等を収容するハウジング３の構成は、第１実施形態に限らない。第２実施形態では、ハウジング３の収容空間３１の開口部３６を閉塞する（閉じる）部材として、樹脂製の蓋部材６１を採用している。これに伴ってハウジング３のケース部５２の構造も第１実施形態と一部異なる構造となっている。したがって、以下説明する第２実施形態では、これら第１実施形態と異なる構造（第１実施形態との相違点）を中心に説明するものとする。なお、第１実施形態のＬＥＤ灯具１と実質的に同一の構成部分には同一符号を付して説明を簡略にする。
【００７７】
図９〜図１４に基づいて第２実施形態のＬＥＤ灯具５１について説明する。図９〜図１２は、ＬＥＤ灯具５１の構成例を示す図である。なお、図９(A)には、乗り物の室内空間から天井１０１を見上げた様子を表した斜視図を示し、図９(B)には、天井１０１の裏面側から見下ろした様子を表した斜視図を示す。図１０(A)には、第２実施形態のＬＥＤ灯具５１の背面図を示し、図１０(B)には第２実施形態のＬＥＤ灯具５１の正面図を示す。図１１(A)には、図１０(B)に表す１０Ａ方向矢視による平面図を示し、図１１(B)には、図１０(B)に表す１０Ｂ方向矢視による側面図を示し、図１１(C)には、図１０(B)に表す１０Ｃ方向矢視による側面図を示す。図１２(A)には、図１０(B)に表す１１Ａ−１１Ａ線による断面図を示し、図１２(B)には、図１０(B)に表す１１Ｂ−１１Ｂ線による断面図を示す。
【００７８】
図９(A)および図９(B)に示すように、第２実施形態のＬＥＤ灯具５１は、第１実施形態と同様に、乗り物の室内空間の天井板１０１に取り付けられて使用される室内空間用の照明装置である。第１実施形態のＬＥＤ灯具１と同様に、ＬＥＤ灯具５１の一部は天井板１０１の裏側に設けられており、室内空間側からは、ＬＥＤ灯具５１の残部を除いて視認できないよう構成されている。すなわち、図９〜図１４に示すように、ＬＥＤ灯具５１は、主に、フレーム２、ハウジング３’、ＬＥＤ基板４、電気配線５、コネクタ６、蓋部材６１等により構成されており、ハウジング３’、ＬＥＤ基板４、電気配線５、コネクタ６、蓋部材６１等が天井板１０１の裏側に隠れ、残部であるフレーム２が天井板１０１の表側から見えるように天井板１０１の貫通穴１０２に取り付けられている。
【００７９】
図１０(A)に示すように、第２実施形態のハウジング３’は、第１実施形態のハウジング３と形状が若干異なる。すなわち、ハウジング３，３’等と同様に難燃性のポリプロピレン等からなる蓋部材６１を取付可能な形状に形成されており、ハウジング３’の開口部３６は蓋部材６１により閉塞可能に構成されている。すなわち、蓋部材６１とケース部５２とは、蓋部材６１の垂下部６３，６６に設けられた嵌合穴６４，６７と、ケース部５２に設けられた嵌合突部５４，５６と、が嵌合することにより、係合されて固定される。
【００８０】
蓋部材６１において、収容空間３１の開口部３６を閉塞する周縁部分を以下「閉塞部６１ａ」という。また、蓋部材６１において、外側に張り出すように突出している部分のことを以下「庇部６２」という。この庇部６２で配線穴２８の周辺を覆うことにより、配線穴２８から水滴等の異物が侵入することを防止することが可能となる。
【００８１】
特に、ＬＥＤ灯具５１が、天井板１０１に取り付けられる等して、フレーム２のプレート部１１を鉛直方向下方に位置し、ハウジング３の蓋部材６１を鉛直方向上方に位置するように設置した場合には高い効果を発揮する。具体的に、ハウジング側部材（天井板１０１の裏面側に配されるハウジング３’等）の取付空間内（天井板裏面側空間）であって、蓋部材６１の上方から蓋部材６１に向けて水滴が落ちたような場合には、蓋部材６１の閉塞部６１ａおよび庇部６２によって収容空間３１内への水滴の浸入を防止することが可能となる。また、庇部６２は蓋部材６１の閉塞部６１ａの一端側から配線穴２８の鉛直方向上方周囲において外側方向に、かつヒサシ状あるいは帽子のツバ状に張り出すことで、上方から配線穴２８への異物の侵入（特に水滴）を防止することが可能となる。
【００８２】
また、図１０(B)に示すように、ケース部５２の外底壁４０には、収容空間３１と外部空間に連通する排出口４２が４箇所に形成されている。本第２実施形態では、前述した通りの蓋部材６１により、ケース部５１に区画形成される収容空間３１への異物の侵入を極力防止する構成を採っている。また、外底壁４０には、排出口４２を設けているので、収容空間３１内に水滴や異物等が侵入してもそれらを排出口４２から排出することが可能となる。なお、図１０(A)および図１０(B)に示すその他の構成については、第１実施形態の場合と同様に構成されており、第１実施形態のところでそれぞれについて記載した内容をほぼ引用することができる。
【００８３】
図１１(A)〜図１１(C)に示すように、蓋部材６１は、閉塞部６１ａの周縁に形成される周端壁７２を、ケース部５２の上端周縁に立ち上がる嵌合壁５８に嵌め込むとともに、第１垂下部６３の第１嵌合穴６４をケース部５２の第１嵌合突部５４に嵌合させ、第２垂下部６６の第２嵌合穴６７をケース部５２の第２嵌合突部５６に嵌合させる。これにより、蓋部材６１の閉塞部６１ａによって収容空間３１の開口部３６周縁をほぼ隙間なく（配線穴２８を除く）閉塞するとともに、ケース部５２に対して蓋部材６１を固定し係合することが可能となる。
【００８４】
また、庇部６２は、蓋部材６１の閉塞部６１ａの配線穴２８が設けられる側であって、電気配線５が外部に向けて延びる方向に、所定量張り出して（突出して）形成されている。また、このように張り出す庇部６２は、配線穴２８から出た電気配線５を下方に（ケース部５１の内底壁３２方向に、または天井板１０１方向に）押えて屈曲させるスロープ部６２ｂを備えている。なお、図１１に示すその他の構成については、第１実施形態の場合と同様に構成されており、第１実施形態のところでそれぞれについて記載した内容をほぼ引用することができる。
【００８５】
図１２(A)および図１２(B)に示すように、ケース部５２の開口部３６の周縁には、蓋部材６１の周端壁７２の下端と接する当接面５９と、周端壁７２の内側に位置し当接面５９から立ち上がるように形成される嵌合壁５８と、が形成されている。また、ＬＥＤ基板４は、収容空間３１に対して、ケース部５２に開口する基板等設置用の開口部３６から挿入して設置（載置）される。ケース部５２の内側壁であって、配線穴２８が形成される側の内側壁と対向する側の内側壁の所定箇所には、柱状部の中ほどに収容空間内方に向けて突出する突起状の基板固定部６０が突出形成されている。
【００８６】
この基板固定部６０と内底壁３２との間にＬＥＤ基板４の一端側を傾斜状態で差込み（引っ掛け）、その後、ＬＥＤ基板４の他端部を（すなわち、ＬＥＤ基板４全体を）収容空間３１内に収めることで、第１実施形態の場合と同様に、ＬＥＤ基板４を基板載置部２９上に載置することが可能になる。なお、ここでの「傾斜状態」とは、ＬＥＤ基板４の一端部（基板固定部６０側）を内底壁３２方向に向け他端部を開口部３６方向に向ける状態である。また、蓋部材６１の収容空間側であって、ケース部５２の内底面３２と対向する側の面（内側天井面７３）には、内底面３２方向に延びる第１基板押え部６９および第２基板押え部７０が形成されている（図１２(A)、図１４(B)を参照）。
【００８７】
そして、ＬＥＤ基板４等を収容空間３１に収容して、蓋部材６１をケース部５２に嵌め込むことで、蓋部材６１の周端壁７２とケース部５２の嵌合壁５８とを嵌合させる。この嵌合状態において、収容空間３１内の基板載置部２９に載置されるＬＥＤ基板４の両端部を、第１基板押え部６９および第２基板押え部７０によって、上方から（蓋部材側から）下方に（内底壁側に）押える構成とされる。これによって、ＬＥＤ基板を収容空間３１内の所定の位置（基板載置部２９上）に固定し、位置決めすることが可能となる。これにより、乗り物に生じる振動等によってＬＥＤ基板４が動き、ＬＥＤ灯具５１に不具合が発生するのを極力防止することが可能となる。
【００８８】
また、図１２(A)に示すように、ＬＥＤ基板４の一端面（開口部３６側の面）には、外部から光源としてのＬＥＤ７に電力（駆動電力）を供給するための電気配線５が半田付けにより接続されている。配線穴２８は、第１実施形態と同様、開口部３６の上端から下方（内底壁３２方向）に切り欠いて形成されている。そして、この切欠の下端（内底壁側下端）位置は、ＬＥＤ基板４を基板載置部６０に載置した状態において、ＬＥＤ基板４と電気配線５との接続位置よりも、上方（開口部３６方向）の位置に設定されている。つまり、ハウジング３を、円筒部２２を鉛直方向下方に、開口部３６を鉛直方向上方にそれぞれ位置させた場合において、ＬＥＤ基板４および電気配線５の接続部５ｂと、配線穴２８の切欠下端位置と、が上下方向にずれたところに位置するように形成されている。
【００８９】
すなわち、ＬＥＤ基板４等への接続部５ｂから収容空間３１の外に延びる電気配線５が、一直線状にならないような位置に、配線穴２８を設けるように構成する。これによって、電気配線５は、収容空間３１内において少なくとも１箇所の屈曲部５ａを有して、配線穴２８からケース部２１の外部に出るように構成されている。また、第２実施形態においては、庇部６２の先端部６２ａによって、配線穴２８から出た電気配線５を下方に（天井板１０１方向に）押えることで、収納空間３１外においても少なくとも１箇所の屈曲部５ａを形成している。
【００９０】
なお、第２実施形態では、図１２(A)に示すように、電気配線５は、収容空間３１内でＬＥＤ基板４の所定位置に接続され、その接続部５ｂからＬＥＤ基板４とほぼ平行に配線穴２８方向に延びる。そして、電気配線５は、配線穴２８の下方（内底壁３２方向）で屈曲部５ａを形成して配線穴２８の方向に立ち上がり、配線穴２８の高さまで立ち上がったところで配線穴２８に向けて屈曲部５ａを形成して、配線穴２８を出るように敷設されている。また、電気配線５は、配線穴２８から出たところで、庇部６２の先端部６２ａにより配線穴２８の下端よりも下方に（天井板１０１方向に）押えられて屈曲部５ａを形成する。さらに電気配線５は、庇部６２の先端部６２ａから外部に向けて、ほぼ水平方向（ケース部２１の外側壁に対して垂直方向）に延びるように引き出される。これにより、庇部６２の先端部６２ａの手前側（配線穴２８側）に屈曲部５ａを形成している。
【００９１】
このように、第２実施形態では、電気配線５は、収容空間３１内で２箇所の屈曲部５ａを形成するとともに、収容空間３１の外部においても２箇所の屈曲部５ａを形成して、外側に延びるように引き出される。これにより、収容空間３１から延びる電気配線５は、配線穴２８および先端部６２ａの２箇所で掛止されてから外部に延びる。したがって、この配線穴２８および先端部６２ａを、電気配線５を掛止する「掛止部」と表現することもできる。このような構成としたことにより、ＬＥＤ灯具５１を敷設する際に、電気配線５を引っ張る等したときに電気配線５の接続部５ｂにかかる負荷を低減することが可能となる。つまり、電気配線５の接続強度の弱い部分（例えば、半田付け部）にかかる負荷を、配線穴２８（掛止部）および先端部６２ａ（掛止部）で分散して低減することが可能となる。またこれにより、電気配線５を電力供給部に接続したり任意の位置に敷設したりする作業を行う際に、電気配線５が断線することを極力防止することが可能となる。
【００９２】
また、ＬＥＤ灯具５１が、天井板１０１に取り付けられる等して、フレーム２のプレート部１１を鉛直方向下方に位置し、ハウジング３の蓋部材６１を鉛直方向上方に位置するように設置した場合には、先端部６２ａにより形成した屈曲部５ａによって、水滴等の侵入防止効果を発揮することが可能となる。具体的に、ハウジング側部材の取付空間内であって、蓋部材６１や電気配線５あるいはそれらの上方で結露等した水滴が落ちてきたような場合には、水滴（水分）が電気配線５を伝って収容空間３１内に侵入しようとするおそれがある。
【００９３】
しかしながら、第２実施形態では、収容空間３１内で立ち上がって外部に出された電気配線５を、配線穴２８の外で先端部６２ａにより、鉛直方向下方に押えている。これにより、庇部６２よりも外方（コネクタ６側）から伝ってきた水滴（水分）は、先端部６２ａよりも上方に（高い位置に）形成された配線穴２８から侵入することはできない。また、ヒサシ状や帽子のツバ状に張り出す庇部６２によって、先端部６２ａから配線穴２８までの間に水滴（水分）が落ちにくい。このように、電気配線５に形成した屈曲部によって、電気配線５の断線を防止するとともに、配線穴２８および庇部６２によって、ケース部５２の収容空間３１内への水滴等の異物の侵入をより防止することが可能となる。なお、図１２に示すその他の構成については、第１実施形態の場合と同様に構成されており、第１実施形態のところでそれぞれについて記載した内容をほぼ引用することができる。
【００９４】
図１３はハウジング３’を示す斜視図である。また図１４は蓋部材６１を示す斜視図である。図１３(A)に示すように、第２実施形態のハウジング３’のケース部５２の各内側壁３４（内底壁３２の各端部）には、それぞれ２個の基板載置部２９が設けられており、この基板載置部２９上にＬＥＤ基板４が載置される。また、ケース部５２の外側壁３９であって、配線穴２８が形成される外側壁３９を挟む両側の外側壁３９には、それぞれ第１側壁凹部５３および第２側壁凹部５５が設けられている。また、第１側壁凹部５３は外側壁３９の配線穴側外側壁寄りに形成されており、第２側壁凹部５５は外側壁３９の配線穴側外側壁と離れる側に寄って形成されている。これにより、対向する両外側壁３９に、蓋部材６１と係合するための嵌合突部５４，５６を対角上に１箇所ずつ設けることで、蓋部材６１とハウジング３とを係合させることが可能となる。
【００９５】
また、第１側壁凹部５３には外方向に突出する第１嵌合突部５４が設けられ、第２側壁凹部５５には外方向に突出する第２嵌合突部５６が設けられている。そして、この嵌合突部５４，５６の上面は、外方向下方に向かって傾斜する傾斜面が形成されている。また、この嵌合突部５４，５６の突出量は、これら嵌合突部５４，５６が設けられる外側壁３９，３９の側壁凹部５３，５５が設けられていない壁面とほぼ同じ高さとなるように設定されている。すなわち、側壁凹部５３，５５の凹み量が、嵌合突部５４，５６の突出量とほぼ等しくなるように設定されている。
【００９６】
また、ケース部５２の開口部３６の周縁には、開口縁面５７が形成されている。この開口縁面５７は、外側壁３９の上縁の当接面５９から立設される嵌合壁５８の上面に形成されている。これら開口部３６の上部周縁に形成される当接面５９、嵌合壁５８および開口縁面５７と、蓋部材６１の周端壁７２とが嵌合することで、ケース部５２（ハウジング３）に区画形成される収容空間３１の開口部３６を閉塞することが可能となる。なお、図１３に示すその他の構成は第１実施形態と同様であるので、説明を省略する。
【００９７】
また、図１４(A)および図１４(B)に示すように、蓋部材６１の外側天井面７４の一端部であって、ケース部５２の配線穴２８に対向する端部には、庇部６２が形成される。また、外側天井面７４の端部であって、庇部６２が形成される一端部を挟む両側の端部には、それぞれ天井板１０１方向に垂下する第１垂下部６３および第２垂下部６６が設けられている。この第１垂下部６３および第２垂下部６６は、ケース部５２の第１側壁凹部５３および第２側壁凹部５５のそれぞれに対向する位置に設けられている。また、この第１垂下部６３および第２垂下部６６は、外側天井面７４に対してほぼ垂直方向に垂下するように設けられている。
【００９８】
また、第１垂下部６３の中ほどには第１嵌合穴６４が形成され、第２垂下部６４の中ほどには第２嵌合穴６７が形成されている。また、図１４(B)に示すように、垂下部６３，６６の内側面（収納空間に対向する側）であって、嵌合穴６４，６７の下方には、それぞれ傾斜部６５，６８が設けられている。この傾斜部６５，６８は、嵌合穴６４，６７の下部から天井板１０１方向かつ収納空間外方に拡がる方向に傾斜している。
【００９９】
このように構成することにより、蓋部材６１を、ケース部材５２の開口部３６に係合させる際には、第１嵌合突部５４が第１垂下部６３の傾斜部６５に嵌り、かつ、第２嵌合突部５６が第２垂下部６６の傾斜部６８に嵌る。この状態から蓋部材６１をケース部５２に対して押圧すると、第１嵌合突部５４が第１垂下部６３の傾斜部６５を通って第１垂下部６３を押し拡げて第１嵌合穴６４に嵌合する。また、同様に第２嵌合突部５６が第２垂下部６６の傾斜部６８を通って第２垂下部を押し拡げて第２嵌合穴６７に嵌合する。これにより、蓋部材６１がケース部５２に対して係合し固定される。なお、蓋部材６１をケース部５２から取り外す場合には、第１垂下部６３および第２垂下部６６の少なくとも一方を押し拡げて上方に（開口部３６から離れる方向に）引っ張ることで、取り外すことが可能である。
【０１００】
また、蓋部材６１の内側天井面７３の周縁部には、内側天井面７３に対してほぼ垂直方向で、収容空間３１方向に垂下する周端壁７２が形成されている。また、周端壁７２の内方であって、内側天井面７３には、内側天井面７３に対してほぼ垂直方向で、収容空間３１方向に垂下する第１基板押え部６９、第２基板押え部７０、および、第１基板押え部６９と第２基板押え部７０とを繋ぐ接続壁７１が形成されている。第１基板押え部６９は下端部が幅広上に形成され、この下端部で収容空間３１に載置されるＬＥＤ基板４の一端部を押えて固定する。また、第２基板押え部７０は切欠部６９ａが形成されて二股状に形成されており、この二股の先端部でＬＥＤ基盤４の他端部両端を押えて固定する。また、切欠部６９ａは電気配線５がＬＥＤ基板４から配線穴２８に抜けるための通り道とされる。
【０１０１】
以上説明したとおり、第２実施形態のＬＥＤ灯具５１では、ケース部５２には、ＬＥＤ７を収容する収容空間３１に開口する開口部３６を閉塞する蓋部部材６１が取り付けられているとともに、この蓋部材６１は、外部からＬＥＤ７に駆動電力を供給する電気配線５を天井板１０１の方向に向ける庇部６２を有する。これにより、電気配線５を引っ張る等した際に、電気配線５の接続部等（例えば、半田付け部）の強度の弱い部分にかかる負荷を低減することが可能となり、敷設作業等の際に電気配線５が断線することを極力防止することが可能となる。また、電気配線５を伝って収容空間３１内に水滴や塵等の異物が進入することを極力防止することが可能となる。また例えば、庇部６２によって電気配線５を鉛直下方向に押え得るようにＬＥＤ灯具１を取り付けた場合には、水滴が電気配線５を伝って収容空間３１内に侵入することの防止効果を顕著に高めることができる。
【０１０２】
また、第２実施形態のＬＥＤ灯具５１では、蓋部材６１に庇部６２を設けたことにより、収容空間３１への水滴や異物等の侵入防止効果を高めたり、電気配線５に屈曲部５ａを形成して断線防止効果を高めたりしている。また、蓋部材６１とケース部５２との係合をより強固なものとし、両者を固定、係合するものとしている。また、第２実施形態のＬＥＤ灯具５１は、第１実施形態と同様の取り付け方法により、天井板１０１に取り付けることが可能である。したがって、簡単な操作によって、ＬＥＤ灯具５１を、貫通穴１０２を介して天井板１０１に取り付け、または、取り外しすることが可能となる。これにより、ＬＥＤ灯具５１の天井板１０１等（被取付パネル）への取付作業（着脱作業）の効率を向上させることが可能となる。
【０１０３】
［他の実施形態］
第１実施形態および第２実施形態では、本発明の灯具の光源として、ＬＥＤを採用した例を説明したが、光源はＬＥＤに限らない。電球や蛍光管であってもよいし、また有機ＥＬや半導体レーザ等、照明光の源になる光を出射可能な発光体であればよい。また、第１実施形態および第２実施形態のＬＥＤ灯具１，５１を、比較的小型のダウンライト（スポットライト）として構成することが可能である。また、これらは天井板１０１の裏面のスペースが狭い場合であっても、取り付けることが可能である。また、第１実施形態および第２実施形態では、乗り物内の室内空間にＬＥＤ灯具１，５１を設ける例を挙げて説明したが、ビル、住宅、倉庫や通路等の建築物の室内空間にＬＥＤ灯具１，５１を設ける場合にも同様に説明することができる。
【０１０４】
また、第１実施形態および第２実施形態では、円筒部２２の開口出口部３７ｂの下端周縁部が、フレーム２の開口部１９の内側に露出しており、円筒部２２の下端部を室内空間側から視認可能な構成としている。これに代えて、フレーム２のプレート部１１を、分割筒壁部１２，１３を基準として開口部１９の径方向内側に延出する構成を採ってもよい。すなわち、プレート部１１の意匠面１１ｂを開口部１９の内側方向に、円筒部２２の開口出口部３７ｂの下端周縁部を被覆する程度の幅だけ延出してもよい。これにより、円筒部２２の下端周縁部を室内空間側から視認しにくい態様とし、室内空間側の意匠性（デザイン性）を向上させることが可能となる。
【０１０５】
また、第１実施形態および第２実施形態では、ＬＥＤ灯具１，５１を乗り物の室内空間の天井１０１に取り付けた例を示したが、取付箇所は天井板１０１に限らない。例えば、乗り物の室内空間における側壁や床に取り付けてもよいし、室内空間の所定箇所に設けられている他の構造物に対して取り付けてもよい。つまり、本発明の灯具は、所定幅の厚みを有するパネル（被取付パネル）であって貫通穴を形成可能なパネル、に取り付けられる灯具であれば、適用することが可能である。
【０１０６】
また、第１実施形態および第２実施形態では、ハウジング３，３’に円筒部２２および複数の羽根部２３，２４を設け、フレーム２に複数の分割筒壁部１２，１３を設けたが、このような態様に限らない。ハウジング３，３’側に複数の分割筒壁部を設け、フレーム２側に円筒部および羽根部を設けても、同様に両部材を係合させることが可能である。また、第１実施形態および第２実施形態では、突起部１８はフレーム２のプレート部１１の保持面１１ａに設けたが、このような態様に限らない。羽根部２３，２４の保持面２３ａ，２４ａの方に突起部１８を設けてもよいし、プレート部１１の保持面１１ａおよび羽根部２３，２４の保持面２３ａ，２４ａの両方に突起部１８を設けてもよい。
【０１０７】
以上、本発明の具体例を詳細に説明したが、これらは例示に過ぎず、特許請求の範囲を限定するものではない。特許請求の範囲に記載の技術には、上述した具体例を様々に変形または変更したものが含まれる。また、本明細書または図面に説明した技術要素は、単独であるいは各種の組合せによって技術的有用性を発揮するものであり、出願時の請求項に記載の組合せに限定されるものではない。さらに、本明細書または図面に例示した技術は、複数の目的を同時に達成するものであり、そのうちの一つの目的を達成すること自体で技術的有用性を持つ。なお、[符号の説明]の欄における括弧内の記載は、上述した各実施形態で用いた用語と、特許請求の範囲に記載の用語との対応関係を明示し得るものである。
【符号の説明】
【０１０８】
１，５１…ＬＥＤ灯具（灯具）
２…フレーム（係合プレート）
３，３’…ハウジング（本体ケース）
４…ＬＥＤ基板（基板）
５…電気配線
５ａ…屈曲部
５ｂ…接続部
７…ＬＥＤ（光源）
１１…プレート部
１１ａ…保持面
１１ｂ…意匠面
１２…第１分割筒壁部（分割筒壁部）
１３…第２分割筒壁部（分割筒壁部）
１４…第１切欠部（切欠部）
１５…第２切欠部（切欠部）
１６，１７…被係止部
１８…突起部
１９…開口部
２１，５２…ケース部
２２…円筒部
２２ａ…周壁
２３…第１羽根部（羽根部）
２４…第２羽根部（羽根部）
２３ａ，２４ａ…保持面
２３ｂ，２４ｂ…係止面
２５，２６…係止部
２７…蓋部材（布シート）
２８…配線穴
３１…収納空間
３６…開口部
６１…蓋部材（蓋部）
６２…庇部（押え部）
６２ａ…庇部先端部（押え部）
１０１…天井板（被取付パネル）
１０２…貫通穴
【図１】
2017195044.tif 000003
【図２】
2017195044.tif 000004
【図３】
2017195044.tif 000005
【図４】
2017195044.tif 000006
【図５】
2017195044.tif 000007
【図６】
2017195044.tif 000008
【図７】
2017195044.tif 000009
【図８】
2017195044.tif 000010
【図９】
2017195044.tif 000011
【図１０】
2017195044.tif 000012
【図１１】
2017195044.tif 000013
【図１２】
2017195044.tif 000014
【図１３】
2017195044.tif 000015
【図１４】
2017195044.tif 000016